(57)【要約】【課題】比較的低濃度のイオン注入領域を検出可能なイオン注入パターン検出方法を提供する。【解決手段】イオン注入領域１４を有する基板１３を移動させながら、イオン注入領域１４を含む検査領域に対して、ほぼ垂直方向に励起用レーザ光１８を、斜め方向に検出用レーザ入射光２２を照射し、照射位置に照射される検出用レーザ入射光２２のサーマルウェーブ信号（検出用レーザ反射光２３）を測定し、照射位置とサーマルウェーブ信号とを記録する工程と、記録された一連の検査領域内の照射位置及びサーマルウェーブ信号に基づき、検査領域内でのサーマルウェーブ信号のピーク位置を算出する工程とを備えている。【選択図】図２
2008139251.tif 000002
【特許請求の範囲】
【請求項１】
イオン注入領域を有する基板を移動させながら、前記イオン注入領域を含む検査領域に対して、第１の方向に向けて励起用の第１のレーザ光を、第２の方向に向けて検出用の第２のレーザ光を照射し、前記照射位置に照射される前記第２のレーザ光のサーマルウェーブ信号を測定し、前記照射位置と前記サーマルウェーブ信号とを記録する工程と、
記録された一連の前記検査領域内の前記照射位置及び前記サーマルウェーブ信号に基づき、前記検査領域内での前記サーマルウェーブ信号のピーク位置を算出する工程と、
を備えていることを特徴とするイオン注入パターン検出方法。
【請求項２】
前記ピーク位置は、前記サーマルウェーブ信号の半値幅の中心であることを特徴とする請求項１に記載のイオン注入パターン検出方法。
【請求項３】
前記ピーク位置と、別のイオン注入領域のサーマルウェーブ信号のピーク位置との間の距離を算出する工程を更に有することを特徴とする請求項１または２のいずれか１項に記載のイオン注入パターン検出方法。
【請求項４】
前記サーマルウェーブ信号が、ピーク値の両側で所定のサーマルウェーブ信号値となる点を前記イオン注入領域の幅の両端として算出する工程を更に有することを特徴とする請求項１乃至３のいずれか１項に記載のイオン注入パターン検出方法。
【請求項５】
イオン注入領域を有する基板を移動させながら、前記イオン注入領域を含む検査領域に対して、第１の方向に向けて励起用の第１のレーザ光を、第２の方向に向けて検出用の第２のレーザ光を照射し、前記照射位置に照射される前記第２のレーザ光のサーマルウェーブ信号を測定し、前記照射位置と前記サーマルウェーブ信号とを記録する工程と、
記録された一連の前記検査領域内の前記照射位置及び前記サーマルウェーブ信号に基づき、前記検査領域内での前記サーマルウェーブ信号が、ピーク値の両側で所定のサーマルウェーブ信号値となる点を前記イオン注入領域の幅の両端として算出する工程と、
を備えていることを特徴とするイオン注入パターン検出方法。
【発明の詳細な説明】
【技術分野】
【０００１】
本発明は、イオン注入された領域を検出するイオン注入パターン検出方法に関する。
【背景技術】
【０００２】
半導体装置の製造において、マスクを用いて基板に回路パターンを露光したり、部分的にイオン注入を行ったりする場合には、基板とマスクとの位置合せが不可欠である。このようなマスクと基板との位置合せを行う一方法として、例えば、カメラと画像処理系とを組み合わせたものがある。位置合せには、基板に形成されたアライメントマーク（基板マーク）が使われる。基板マークとして、基板上に形成されパターニングされた窒化シリコン膜または多結晶シリコン膜等の凹凸部等が使用されることが多い。
【０００３】
そして、例えば、基板マーク及びマスクの位置合せ用に形成されたアライメントマーク（マスクマーク）からの反射像をカメラでそれぞれ観測し、読み取った画像を画像処理して位置ずれを検出し、この検出結果に基づいて基板とマスクの各マークが所定の位置関係となるように、基板とマスクとを相対的に移動して位置合せを行う方法が開示されている（例えば、特許文献１参照。）。
【０００４】
ここで、基板マークは、照明光に対して検出可能であることが必須である。凹凸部等で形成された基板マークの他に、比較的高濃度のイオン注入領域は、照明光に対して検出可能なので、基板マークとして使用できる可能性が高い。しかしながら、基板マーク形成のための高濃度なイオン注入工程が必要となるという問題がある。すなわち、半導体装置製造プロセス開始の早い時点で行われる比較的低濃度（例えば、ドーズ量１Ｅ１３ｃｍ−２以下）なイオン注入を使用した基板マークは、通常の照明では検出できない、あるいは、正確に検出できないという問題がある。
【特許文献１】特開２０００−３５６５１１号公報
【発明の開示】
【発明が解決しようとする課題】
【０００５】
本発明は、比較的低濃度のイオン注入領域を検出可能なイオン注入パターン検出方法を提供する。
【課題を解決するための手段】
【０００６】
本発明の一態様のイオン注入パターン検出方法は、イオン注入領域を有する基板を移動させながら、前記イオン注入領域を含む検査領域に対して、第１の方向に向けて励起用の第１のレーザ光を、第２の方向に向けて検出用の第２のレーザ光を照射し、前記照射位置に照射される前記第２のレーザ光のサーマルウェーブ信号を測定し、前記照射位置と前記サーマルウェーブ信号とを記録する工程と、記録された一連の前記検査領域内の前記照射位置及び前記サーマルウェーブ信号に基づき、前記検査領域内での前記サーマルウェーブ信号のピーク位置を算出する工程とを備えていることを特徴とする。
【０００７】
また、本発明の別態様のイオン注入パターン検出方法は、イオン注入領域を有する基板を移動させながら、前記イオン注入領域を含む検査領域に対して、第１の方向に向けて励起用の第１のレーザ光を、第２の方向に向けて検出用の第２のレーザ光を照射し、前記照射位置に照射される前記第２のレーザ光のサーマルウェーブ信号を測定し、前記照射位置と前記サーマルウェーブ信号とを記録する工程と、記録された一連の前記検査領域内の前記照射位置及び前記サーマルウェーブ信号に基づき、前記検査領域内での前記サーマルウェーブ信号が、ピーク値の両側で所定のサーマルウェーブ信号値となる点を前記イオン注入領域の幅の両端として算出する工程とを備えていることを特徴とする。
【発明の効果】
【０００８】
本発明によれば、比較的低濃度のイオン注入領域を検出可能なイオン注入パターン検出方法を提供することができる。
【発明を実施するための最良の形態】
【０００９】
以下、本発明の実施例について、図面を参照しながら説明する。以下に示す図では、同一の構成要素には同一の符号を付している。
【実施例１】
【００１０】
本発明の実施例１に係るイオン注入パターン検出方法について、図１乃至図３を参照しながら説明する。
【００１１】
図１はイオン注入パターン検出のためのイオン注入領域検出装置の構成を模式的に示す図である。図２はイオン注入パターンを有する基板と励起及び検出レーザ光との関係を模式的に示す図である。図３は検出されたサーマルウェーブ信号とイオン注入パターンのピーク位置との関係を模式的に示す図である。
【００１２】
まず、図１に示すように、イオン注入パターンであるイオン注入領域を検出のためのイオン注入領域検出装置１は、基板１３を支持する支持台１１、基板１３の被検査部を励起するための第１のレーザ光となる励起用レーザ光源１７、励起された領域を検出するための第２のレーザ光となる検出用レーザ光源２１、及び、基板１３の被検査部から反射された信号（反射光）を受けるフォトディテクタ２５を有する測定部１０を備え、更に、測定部１０の制御及び測定部１０で得られたデータの収納・解析等を行う制御・データ処理部３１を備えている。制御・データ処理部３１は、図示されてないＣＰＵ部、記憶部、入出力部等を有している。測定部１０は、例えば、図示されてないＯｆｆ−Ａｘｉｓ方式のアラインメント装置の一部として配設されている。制御・データ処理部３１はアラインメント装置の制御・データ処理部の一部として共有されてもよい。
【００１３】
基板１３は、シリコン等の半導体基板である。基板１３の表面には、低濃度（例えば、ドーズ量１Ｅ１３ｃｍ−２以下）にイオン注入された位置合わせ用のマークとなるイオン注入領域（後述の１４）が、例えば、半導体基板の半導体素子等の形成領域を外して形成されている。
【００１４】
基板１３が固定される支持台１１は、ＸＹ（平面）方向及びＺ（高さ）方向への移動とそれぞれＸ軸、Ｙ軸、Ｚ軸の回りの回転等により、基板１３の位置調整を行うことが可能である。
【００１５】
励起用レーザ光源１７は、例えば、Ａｒレーザ（波長４８８ｎｍ）である。励起用レーザ光１８は、変調されて、図示を省略した光学素子等を通過して、基板１３の表面にほぼ垂直方向から照射され、例えば、直径１〜数μｍの焦点を結ぶ。
【００１６】
検出用レーザ光源２１は、例えば、Ｈｅ−Ｎｅレーザ（波長６３３ｎｍ）である。検出用レーザ入射光２２は、図示を省略した光学素子等を通過して、基板１３表面の励起用レーザ光１８が照射されている位置に重なるように、斜め上方から照射される。
【００１７】
フォトディテクタ２５は、Ｈｅ−Ｎｅレーザ光に十分な感度を有する、例えば、ＣＣＤ等を有している。励起用レーザ入射光２２が照射された基板１３の表面で反射された検出用レーザ反射光２３が、図示を省略した光学素子等を通過して、フォトディテクタ２５に入射される。
【００１８】
以上の構成により、励起用レーザ光１８と検出用レーザ入射光２２とは、入射方向が違うものの、基板１３の表面において、励起用レーザ光１８の照射領域からはみ出さないように検出用レーザ入射光２２が重ねて当てられる。いわゆるサーマルウェーブ法を適用した方法である。励起用レーザ光１８は、例えば、照射領域が直径約１μｍに絞られ、１ＭＨｚに変調されて、基板１３に照射される。励起用レーザ光１８を吸収して、基板１３内部にサーマルウェーブ（熱波）とプラズマウェーブ（プラズマ波）が発生し、基板１３の表面下の結晶構造に依存して、基板１３の表面の様子が変化する。なお、要求される精度等により、照射領域直径及び変調周波数等は変更可能である。
【００１９】
この基板１３の表面に、検出用レーザ入射光２２を照射し、その反射である検出用レーザ反射光２３をフォトディテクタ２５により検出することにより、イオン注入により発生する結晶欠陥等の度合いに関連する量を検出可能となる。サーマルウェーブ及びプラズマウェーブは、基板１３の表面部分の結晶欠陥等の欠陥の存在に対して、非常に敏感な反射信号として表れ、ドーズ量１Ｅ１０ｃｍ−２〜１Ｅ１２ｃｍ−２程度で発生する欠陥を検出可能である。なお、励起用レーザ光１８と検出用レーザ入射光２２とは各々の光軸が一致して、基板１３の表面に対してほぼ垂直方向から照射されても差し支えない。
【００２０】
次に、イオン注入領域の検出について説明する。基板１３は、例えば、半導体装置製造プロセス開始の早い時点で、ＣＭＯＳ（Complementary Metal Oxide Semiconductor）のウェルが形成される。この時に、図２に示すように、同時に、低濃度にイオン注入された位置合わせ用のイオン注入領域１４が形成される。
【００２１】
図２（ａ）に示すように、イオン注入領域１４の図面右側に外れた位置に励起用レーザ光１８及び検出用レーザ入射光２２が照射され、検出用レーザ反射光２３が反射され、フォトディテクタ２５で測定される。基板１３を図面右側（Ｘ方向とする）に１ステップずつ移動（位置は−Ｘ方向に移動）させる。１ステップの移動は、基板１３表面の励起用レーザ光１８等の照射位置が十分重なる程度の間隔（例えば、約０．０２〜０．１μｍ）となるように設定される。なお、基板１３を連続的に移動しながら測定を行う連続スキャン等のモードを使用することが可能である。
【００２２】
基板１３は、被測定領域をカバーするように移動されて、図２（ｂ）に示すように、励起用レーザ光１８等は、イオン注入領域１４の図面左側に外れた位置に来る。図２（ａ）から図２（ｂ）に基板１３が移動される間に、イオン注入領域１４を含む表面からのデータがフォトディテクタ２５で測定される。この測定される検出用レーザ反射光２３からなるサーマルウェーブ信号データは、Ｘ方向の位置と共に、制御・データ処理部３１に記録される。
【００２３】
次に、イオン注入領域１４のピーク位置、すなわち、基板マーク位置の求め方について説明する。図３に示すように、Ｘ方向の位置を横軸に取り、検出用レーザ反射光２３の強度を縦軸に取って、記録された検出用レーザ反射光２３のサーマルウェーブ信号、すなわち、結晶欠陥の度合いに関する量が示される。隣接のサーマルウェーブ信号は滑らかな曲線で接続されて、サーマルウェーブ信号曲線となる。サーマルウェーブ信号は、極大値（ピーク値）を有する形状をなす。サーマルウェーブ信号曲線のピーク値は、必ずしも、求めるイオン注入領域のピーク位置に一致するとは限らない。そこで、サーマルウェーブ信号曲線で示される分布の中心位置は、サーマルウェーブ信号曲線の半値幅の中点と仮定して算出する。サーマルウェーブ信号曲線の半値幅の中点、すなわち、ピーク値の半分となるサーマルウェーブ信号が、サーマルウェーブ信号曲線と交わる両端の中点として求められる。この求められた分布のほぼ中心位置となる中点を基板マーク位置１５とする。
【００２４】
なお、図３のサーマルウェーブ信号曲線の上側に、イオン注入された不純物の濃度分布を示す。濃度分布は、例えば、ＳＩＭＳ（Secondary Ion Mass Spectrometry）等の不純物分析により求めることができ、所定の濃度を示す等濃度線で囲まれた境界線内の領域が、より濃度の高いイオン注入領域１４ということになる。イオン注入領域１４の分布のほぼ中心に、基板マーク位置１５が設定できている。
【００２５】
ここで、基板マーク位置１５は、半値幅の中点の他に、閾値となるサーマルウェーブ信号を予め設定しておいて、その線がサーマルウェーブ信号曲線と交わる両端の中点として算出することも可能である。また、符号（＋／−）がそれぞれ異なるサーマルウェーブ信号曲線が最も急峻に変化する２つの位置を結ぶ線分の中点として算出する方法で求めることも可能である。また、サーマルウェーブ信号曲線が滑らかな曲線にならない場合、ノイズの平滑化処理等を、適宜、適用してもよい。
【００２６】
上述したように、低濃度にイオン注入されたイオン注入領域１４を有する基板１３のイオン注入領域１４を含む検査領域に励起用レーザ光１８を照射し、励起用レーザ光１８の照射部と同一の位置に照射される検出用レーザ入射光２２を、基板１３表面で反射させて、検出用レーザ反射光２３としてフォトディテクタ２５で測定し、基板１３を一定方向に一定間隔で移動させながら、同様な測定行って位置とサーマルウェーブ信号データを取得し、測定データのサーマルウェーブ信号曲線からピーク位置を算出し、イオン注入領域１４の位置とすることができる。すなわち、低濃度にイオン注入された位置合わせ用のイオン注入領域１４は、サーマルウェーブ法により検出されて、ピーク位置が算出されて、基板マークとして使用することが可能となる。
【００２７】
また、この低濃度にイオン注入されたイオン注入領域１４をアラインメント用の基板マークとする方法は、例えば、検出され易いように、高いドーズ量のイオン注入領域を別に形成することを必要としない。つまり、通常の半導体装置製造プロセスにおいて、基板マーク形成工程を別に設ける必要がなく、工程短縮が可能となる。
【実施例２】
【００２８】
本発明の実施例２に係るイオン注入パターン検出方法について、図４及び図５を参照しながら説明する。図４は検出されたイオン注入パターン同士の位置関係を評価することを説明するための模式的な図で、図４（ａ）は平面図、図４（ｂ）はサーマルウェーブ信号分布図である。図５は検出されたサーマルウェーブ信号とイオン注入パターン領域幅との関係を模式的に示す図である。実施例１とは、イオン注入パターン検出がアラインメント用の基板マーク以外に適用される例である点が異なる。以下、実施例１と同一構成部分には同一の符号を付して、その説明は省略し、異なる構成部分について説明する。
【００２９】
まず、実施例１で示したイオン注入領域１４に対して、位置合わせされた別のイオン注入領域を形成して、イオン注入領域１４と別のイオン注入領域との距離、及び、別のイオン注入領域間の距離を求める例を説明する。
【００３０】
図４（ａ）に示すように、基板マークとなるイオン注入領域１４を基準に、基板１３上に、低濃度な矩形のイオン注入領域４４、５４が形成されている。イオン注入は、例えば、イオン注入領域１４の基板マーク位置１５に位置合わせされたステンシルマスクを介して行われる。
【００３１】
図４（ｂ）に示すように、イオン注入領域４４は、実施例１と同様な方法で、励起用レーザ光１８等が照射されて、測定され、イオン注入領域４４のピーク位置（１点鎖線）が検出される。その結果、例えば、イオン注入領域１４とイオン注入領域４４との間隔は、距離Ｌａと算出される。また、同様に、イオン注入領域５４のピーク位置（１点鎖線）も検出され、イオン注入領域１４とイオン注入領域５４との間隔は、距離Ｌｂと算出される。なお、イオン注入領域４４、５４が同時にステンシルマスクを介して行われる場合、イオン注入領域４４、５４は一定の間隔を有しているので、イオン注入領域４４、５４の一方を測定し、他の間隔を類推することは可能である。そして、イオン注入領域４４、５４の位置を精度良く求める場合、イオン注入領域５４のイオン注入領域１４とは反対側に基板マークとなるイオン注入領域１４ａを設けておき、イオン注入領域１４、１４ａとイオン注入領域４４、５４との間のそれぞれの距離を測定し、ステンシルマスク製造誤差及び支持台１１の移動誤差等をキャンセルする方法が有用である。
【００３２】
また、イオン注入領域４４、５４が、それぞれ、別工程としてイオン注入され、しかも、イオン注入領域４４とイオン注入領域５４との間の距離のみが必要な場合、イオン注入領域４４とイオン注入領域５４を両端に含む領域は、実施例１と同様な方法で、励起用レーザ光１８等が照射されて、測定され、イオン注入領域４４、５４のピーク位置が、それぞれ、検出される。その結果、例えば、イオン注入領域４４とイオン注入領域５４との間隔は、距離Ｌｃと算出される。
【００３３】
上述したように、実施例１と同様な方法を適用することによって、低濃度なイオン注入領域４４、５４の、それぞれの位置を算出でき、これらの位置から、イオン注入領域１４、４４、５４のそれぞれの間隔、すなわち距離、を求めることが可能となる。そして、求めた距離Ｌａ、Ｌｂ、Ｌｃが許容範囲内にあるかどうかを、予め設定された基準値と比較することにより検証できる。その結果、基板１３のイオン注入領域４４、５４の位置に基づく良否判定、あるいは、アラインメント装置へのフィードバック等を、低濃度なイオン注入が終わった段階で行うことが可能となり、その後の工程に対して、無駄を少なくすることが可能となる。つまり、不良品の早い段階での排除や装置の早い段階での修正が可能となる
次に、低濃度なイオン注入領域６４の幅、すなわち、広がり寸法を、イオン注入パターン検出方法により算出する例を説明する。基板１３にイオン注入を行うと、イオン注入された元素が一定濃度存在する領域と実質的に存在しない領域との間に、連続的な濃度分布を有する領域が存在する。
【００３４】
図５に示すように、イオン注入領域６４は、予め決められた濃度を結んでできる境界線より高い濃度領域を示している。境界となる濃度をより低濃度に設定すれば、より広いイオン注入領域を検出することが可能である。濃度分布の中心（基板マーク位置等のピーク位置）は、濃度の境界線の設定に依存することは少なく、ほぼ一義的に決められるが、濃度の境界線は、設定に基づいてある範囲内で規定されることになる。
【００３５】
サーマルウェーブ信号曲線は、結晶欠陥等の度合いに関係する量を示しており、イオン注入された不純物元素が多いほど、結晶欠陥等の頻度が高くなり、サーマルウェーブ信号は強くなる関係にある。つまり、不純物種、ドーズ量、注入エネルギー等が同じ条件において、イオン注入された不純物元素の濃度と、サーマルウェーブ信号は相関関係がある。具体的には、不純物の濃度を例えばＳＩＭＳ等で測定して、不純物の濃度分布を求めておき、一方、一定の条件に基づくサーマルウェーブ信号を測定、曲線を算出し、両者をつき合わせて、サーマルウェーブ信号曲線から所望の濃度を境界とするイオン注入領域の幅を決めることは可能である。
【００３６】
図５に示すように、まず、基準となるイオン注入領域６４に相当する濃度を境界としてイオン注入領域幅Ｗを求めたい場合、サーマルウェーブ信号曲線のピーク値に対する相対的な強度値（検出強度値）、例えば、相対強度がピーク値に対して約６５％下がった値、を設定する。次に、求めようとする別のイオン注入領域のサーマルウェーブ信号曲線を実施例１で述べた方法で求めて、サーマルウェーブ信号曲線がこの検出強度値と交わる両端を境界として、イオン注入領域幅Ｗとすればよい。
【００３７】
検出強度値は、半導体装置の特性に及ぼす影響により、濃度の低めな境界を検出して判断する必要がある場合、逆に、濃度の高めな境界を検出して判断する必要がある場合があり、それぞれの場合に即して運用することが可能である。
【００３８】
上述したように、基準となるイオン注入領域のイオン注入領域幅を検出するための検出強度値を予め求めて、その検出強度値を別のサーマルウェーブ信号曲線に適用することにより、同条件で形成した任意のイオン注入領域幅を求めることが可能となる。その結果、任意のイオン注入領域のイオン注入領域幅に基づく良否判定が可能となる。従来、例えば、基板１３表面をエッチングして、段差を形成して、段差の間隔を測定して、イオン注入領域幅を求めた検査に比較して、本実施例のイオン注入領域幅検出方法を用いた工程は、簡便となり、工程の短縮も可能となる。
【００３９】
以上、本発明は上記実施例に限定されるものではなく、本発明の要旨を逸脱しない範囲内で種々変形して実施することができる。
【００４０】
例えば、実施例では、イオン注入領域は重ならない例を示したが、イオン注入領域が一部重なる、あるいは、同じ領域に複数回のイオン注入を行っても検出可能である。イオン注入による結晶欠陥等の度合いに関する量に変化が現れるので、測定されるサーマルウェーブ信号に変化が現れて、例えば、相対的な比較は可能となる。
【００４１】
また、実施例では、基板上のイオン注入領域において、サーマルウェーブ信号曲線のピーク位置は存在するものとして説明してきたが、サーマルウェーブ信号曲線が検出されず、従ってピーク位置が存在しないというデータが得られるときは、イオン注入領域は、少なくとも測定領域に存在しないので、基板マーク、イオン注入の合わせ基準、または、その他のイオン注入領域等が存在しない不良基板であると判断することが可能である。
【００４２】
本発明は、以下の付記に記載されるような構成が考えられる。  
（付記１）  イオン注入領域を有する基板を移動させながら、前記イオン注入領域を含む検査領域に対して、第１の方向に向けて励起用の第１のレーザ光を、第２の方向に向けて検出用の第２のレーザ光を照射し、前記照射位置に照射される前記第２のレーザ光のサーマルウェーブ信号を測定し、前記照射位置と前記サーマルウェーブ信号とを記録する工程と、記録された一連の前記検査領域内の前記照射位置及び前記サーマルウェーブ信号に基づき、前記検査領域内での前記サーマルウェーブ信号のピーク位置を算出する工程とを備えているイオン注入パターン検出方法。
【００４３】
（付記２）  前記サーマルウェーブ信号は、平滑化処理により滑らかな曲線とされる付記１に記載のイオン注入パターン検出方法。
【００４４】
（付記３）  前記サーマルウェーブ信号が最も急峻に変化する位置を前記イオン注入パターンの境界とする付記１に記載のイオン注入パターン検出方法。
【００４５】
（付記４）  前記サーマルウェーブ信号のピーク位置のサーマルウェーブ信号を予め設定した基準値と比較する付記１に記載のイオン注入パターン検出方法。
【図面の簡単な説明】
【００４６】
【図１】本発明の実施例１に係るイオン注入パターン検出のためのイオン注入領域検出装置の構成を模式的に示す図。
【図２】本発明の実施例１に係るイオン注入パターンを有する基板と励起及び検出レーザ光との関係を模式的に示す図。
【図３】本発明の実施例１に係る検出されたサーマルウェーブ信号とイオン注入パターンのピーク位置との関係を模式的に示す図。
【図４】本発明の実施例２に係る検出されたイオン注入パターン同士の位置関係を評価することを説明するための模式的な図で、図４（ａ）は平面図、図４（ｂ）はサーマルウェーブ信号分布図。
【図５】本発明の実施例２に係る検出されたサーマルウェーブ信号とイオン注入パターン領域幅との関係を模式的に示す図。
【符号の説明】
【００４７】
１  イオン注入領域検出装置
１０  測定部
１１  支持台
１３  基板
１４、１４ａ、４４、５４、６４  イオン注入領域
１５  基板マーク位置
１７  励起用レーザ光源
１８  励起用レーザ光
２１  検出用レーザ光源
２２  検出用レーザ入射光
２３  検出用レーザ反射光
２５  フォトディテクタ
３０  データ処理部
３１  制御・データ処理部
Ｌａ、Ｌｂ、Ｌｃ  距離
Ｗ  イオン注入領域幅
【図１】
2008139251.tif 000003
【図２】
2008139251.tif 000004
【図３】
2008139251.tif 000005
【図４】
2008139251.tif 000006
【図５】
2008139251.tif 000007